(57)【要約】【課題】  従来、防草を意図しコンクリートブロックの略垂直な前面及び背面の下部に切り欠き棚を突出形成した構成がある。しかし切り欠き棚が、防草に有効な傾斜角度と長さを備えていないので、雑草の繁殖に対して十分な効果が期待できるものとは考えにくい。よって、その改良が望まれている。【解決手段】  本発明は、防草を意図したブロックで、ブロックの長手方向に沿って形成される少なくとも一方端面に設けた凹部は、その開放部が、このブロックの上面に達する構成とするとともに、この凹部は、その底部に向かって、下向き角度が７０°となる傾斜接合面と成り得る傾斜辺を備えた構成とし、また、この凹部の先端部、及び／又は、底部を面取り加工したことを特徴とする防草を意図したブロックである。【選択図】          図１−２
2010163863.tif 000002
【特許請求の範囲】
【請求項１】
ブロックの長手方向に沿って形成される少なくとも一方端面に設けた凹部は、その開放部が、このブロックの上面に達する構成とするとともに、この凹部は、その底部に向かって、下向き角度が７０°となる傾斜接合面と成り得る傾斜辺を備えた構成とし、また、この凹部の先端部、及び／又は、底部を面取り加工したことを特徴とする防草を意図したブロック。
【請求項２】
ブロックの長手方向に沿って形成される少なくとも一方端面に設けた凹部は、その開放部が、このブロックの上面に達する構成とするとともに、この凹部は、その底部に向かって、下向き角度が７０°となる傾斜接合面と成り得る傾斜辺を備えた構成とし、また、前記凹部は、前記ブロックの短手方向において、複数個設ける構成とし、さらに、この凹部の先端部、及び／又は、底部を面取り加工したことを特徴とする防草を意図したブロック。
【請求項３】
請求項２に記載の防草を意図したブロックであって、
前記複数個の凹部を、ブロック外周端面に繞設するとともに、このブロックの上面に達するよう構成したことを特徴とする防草を意図したブロック。
【請求項４】
請求項２に記載の防草を意図したブロックであって、
この複数個の凹部の先端部に、防草用の突条を設けることを特徴とする防草を意図したブロック。
【発明の詳細な説明】
【技術分野】
【０００１】
本発明は防草等を意図した構造物（構築物、建物、建屋等）用のブロックに関する。
【背景技術】
【０００２】
従来、例えば、道路においては、車道と歩道や、車道と中央分離帯等の間の境界を仕切るコンクリート製の境界ブロック、例えば、縁石（一方の構造物）が設置されている。このような道路は、養生、乾燥されたコンクリート製の境界ブロック側面（壁面）に、現場打ちコンクリートやアスファルト等の流動性の舗装材（他方の構造物）を打設し、その後の乾燥硬化により形成する。従って、経時的（経年）によりコンクリート等の舗装材（以下、コンクリートとする）が乾燥収縮し、この境界ブロック壁面とコンクリート壁面との境目（間）に垂直方向の隙間（目地）が発生する。この隙間が問題となるのは、この境界ブロック側面とコンクリートの下側に存在する土中の種子が経年により成長し、またこの隙間に飛来及び／又は雨水の流れとともに侵入した種子が経年により成長し、雑草となり易い。そのメカニズムを説明すると、前記隙間に入り込んだ種子が発芽し、光合成により成長し、この種子より発芽した芽は、その屈光性により上記の隙間を通じて上方へ延び（背地性）、また根は屈地性により逆に下方へ伸びて（向地性）成長し繁殖する。その生命力のたくましさは万人が認める処である。しかし、この雑草の繁殖を許すことは問題である。例えば、雑草による車輌の察知が遅れることによる各種の事故、交通障害、又は雑草による転倒、怪我等のアクシデントが考えられ、現実にこのような由々しき状況がある。従って、雑草の処理に難渋することは万人が認める処である。また、この芽及び／又は根は少なくとも略水平に伸びる。尚、ブロックには、前記境界ブロックの他に、水路ブロック、側溝用ブロック、又は土留め用ブロック、Ｌ字ブロック、ウオール壁等が含まれる。
【０００３】
また他の隙間が発生する場合は、次のような状況が考えられる。例えば、コンクリートの駆体（一方の構造物）と、打設コンクリート路面、同床面等（他方の構造物）とで形成される隙間においても同様な状況となる。さらにコンクリート相互間（一方・他方の構造物）の隙間（目地）、或いは各種の水路ブロック、側溝用ブロック、又は土留め用ブロック、Ｌ字ブロック、ウオール壁（フェンスブロック）等のコンクリート構造物（一方の構造物）と、打設コンクリート路面、同床面等（他方の構造物）との隙間においても同様な状況となる。そして、前述の隙間が発生する他の状況は、例えば、インターロッキングブロック、ブロック等の構造物相互間（一方・他方の構造物）の隙間が考えられる。
【０００４】
このような草の繁殖を防止する方法として、従来、次のような構造が知られている。文献（１）は、特開平８−１１３９０６号の「コンクリートブロックとコンクリート壁およびコンクリート壁の製造のための部材」である。この発明の図３〜図６に示した構造のコンクリートブロックとアスファルト又はコンクリート等の流動性の舗装材との間における防草であって、具体的には、コンクリートブロックの略垂直な前面及び背面の下部に切り欠き棚を突出形成し、この切り欠き棚を埋めるように密着させて舗装材を打設し、雑草の発生及び成長を物理的に遮断するよう構成した、切り欠き棚を利用する防草である。また文献（２）は、特開平１０−８２０１２号の「雑草防止型歩車道境界ブロック」である。この発明は、片面歩車道境界ブロックの歩道側の側面上端角部に、切り込みを設ける構成であり、歩車道境界ブロックの歩道側の側面上端角部と、歩道のアスファルト舗装とを密着させた接合部からの雑草の発生及び成長を、物理的に遮断することを意図する。その詳細は、［０００６］に記載されており、「歩道側の側面上端角部の切り込みに、歩道のアスファルト舗装の端部を重ね合わせて接合しておくだけで、接合部からの雑草の発生を防止する」内容である。
さらに文献（３）は、特開２００４−１６９５４４の「防草等を意図した構造物の構造と構造物と構造物の防草等の工法」である。この発明は、各図に示すように、防草用凹部の先端形態を、曲面周辺部を備えた迂回形態とし、根の成長及び施工前に残存していた根や芽の成長を確実に防止できる防草等を意図する。従って、構造物等に存在する目地があっても、防草凹部の形状を特定することで、芽の屈光性と、根の屈地性に基づく成長を自然に止め、阻害する機能を付与した防草等が図れる画期的な発明である。
【０００５】
【特許文献１】特開平８−１１３９０６号
【特許文献２】特開平１０−８２０１２号
【特許文献３】特開２００４−１６９５４４
【発明の概要】
【発明が解決しようとする課題】
【０００６】
前記文献（１）の発明は、前述の如く、コンクリートブロックの略垂直な前面及び背面の下部に切り欠き棚を突出形成した構成であるが、この切り欠き棚が、防草に有効な傾斜角度と長さを備えていないので、雑草の繁殖に対して十分な効果が期待できるものとは考えにくい。この発明は、明細書の［０００３］に記載の如く、雑草が生えることにより、より多くの雨水が入り込むことを回避することを意図し、コンクリートブロックの前面及び背面に貫通する排水孔を設けたことを特徴とする。しかし、この発明には、切り欠き棚に対する防草を図る構造が開示されていないことから、十分な防草効果を期待するには問題がある。
【０００７】
前記文献（２）の発明は、前述の如く、歩道側の側面上端角部の切り込みに、歩道のアスファルト舗装の端部を重ね合わせて接合し、接合部からの雑草の発生を防止する構造であるので、この接合部が経年変化で開放された場合、雑草が発生し問題である。その理由は、切り込みに対する防草を図る構造が示されていないのが原因と考えられる。
【０００８】
また文献（３）の発明は、前述の如く、防草凹部の形状を特定することで、芽の屈光性と、根の屈地性を阻害する機能を付与した防草等が図れる画期的な発明である。この発明で開示した防草用凹部の形状によっては、成形時の中子の取り扱いに苦慮する場合があり得る。従って、成形時に手間を要すること、またコスト高になること等の改良点が考えられる。そして、この発明は、境界ブロック等のブロック自体と、このブロックと構造物との関係に言及することから、活用されていない利用分野が挙げられる。
【０００９】
上記に鑑み本発明は、コンクリート構造物を構築する際に使用する型枠の長手方向の端面に下向き角度が略７０°範囲となる少なくとも５ｃｍ以上の長さを有する傾斜辺を凸設又は凹設し、この型枠を利用し、前記略７０°範囲となる少なくとも５ｃｍ以上の長さを有する傾斜辺を、打設コンクリートに凸設又は凹設するとともに、この凸設又は凹設した傾斜辺を隠蔽するように隣接打設コンクリートを構築し、この両コンクリートの接合面に、前記略７０°範囲となる少なくとも５ｃｍ以上の長さを有する傾斜辺に相当する傾斜接合面を形成する。この傾斜接合面は、略７０°で少なくとも５ｃｍ以上の長さを有するため、飛来した種子の根（芽）の成長及び施工前に残存していた根、芽の成長を確実に防止できること、またこの傾斜接合面は、何れの構造もその先端形態を、曲面周辺部を備えた迂回形態とし、根の成長及び施工前に残存していた根や芽の成長を確実に防止できる防草等を意図したブロックを提供できる。
【００１０】
そして、また本発明が、最も特徴とすることは、構造物等に経時的に、目地が形成されても、略７０°範囲となる少なくとも５ｃｍ以上の長さを有する傾斜辺に相当する傾斜接合面を形成することで、根の屈地性及び芽の屈光性に基づく成長を阻害する機能があり、この機能を利用した画期的な防草等を意図したブロックを提供できる。
【課題を解決するための手段】
【００１１】
請求項１の発明は、経年変化により、ブロックと舗装材との境目に垂直方向の隙間が発生し、この隙間に飛来した雑草の種子が雨水を糧として発芽しても、光合成により成長する性質、即ち、芽が屈光性により隙間を通じて上方へ延び（背地性）、根が屈地性により逆に下方へ伸び（向地性）成長（繁殖）することを阻害し、防草効果を達成することを意図する。
【００１２】
請求項１は、ブロックの長手方向に沿って形成される少なくとも一方端面に設けた凹部は、その開放部が、このブロックの上面に達する構成とするとともに、この凹部は、その底部に向かって、下向き角度が７０°となる傾斜接合面と成り得る傾斜辺を備えた構成とし、また、この凹部の先端部、及び／又は、底部を面取り加工したことを特徴とする防草を意図したブロックである。
【００１３】
請求項２の発明は、経年変化により、ブロックと舗装材との境目に垂直方向の隙間が発生し、この隙間に飛来した雑草の種子が雨水を糧として発芽しても、光合成により成長する性質、即ち、芽が屈光性により隙間を通じて上方へ延び（背地性）、根が屈地性により逆に下方へ伸び（向地性）成長（繁殖）することを略１００％阻害し、防草効果を達成することを意図する。
【００１４】
請求項２は、ブロックの長手方向に沿って形成される少なくとも一方端面に設けた凹部は、その開放部が、このブロックの上面に達する構成とするとともに、この凹部は、その底部に向かって、下向き角度が７０°となる傾斜接合面と成り得る傾斜辺を備えた構成とし、また、前記凹部は、前記ブロックの短手方向において、複数個設ける構成とし、さらに、この凹部の先端部、及び／又は、底部を面取り加工したことを特徴とする防草を意図したブロックである。
【００１５】
請求項３の発明は、請求項２の目的を達成すること、またこの目的を達成するのに最適な上面構造のブロックを提供すること等を意図する。
【００１６】
請求項３は、請求項２に記載の防草を意図したブロックであって、
前記複数個の凹部を、ブロック外周端面に繞設するとともに、このブロックの上面に達するよう構成したことを特徴とする防草を意図したブロックである。
【００１７】
請求項４の発明は、請求項２の目的を達成すること、またこの目的を達成するのに最適な先端部を有するブロックを提供すること等を意図する。
【００１８】
請求項４は、請求項２に記載の防草を意図したブロックであって、
この複数個の凹部の先端部に、防草用の突条を設けることを特徴とする防草を意図したブロックである。
【発明の効果】
【００１９】
請求項１の発明は、ブロックの長手方向に沿って形成される少なくとも一方端面に設けた凹部は、開放部が、ブロックの上面に達する構成とするとともに、凹部は、底部に向かって、下向き角度が７０°となる傾斜接合面と成り得る傾斜辺を備えた構成とし、また、凹部の先端部、及び／又は、底部を面取り加工したことを特徴とする防草を意図したブロックである。
【００２０】
従って、請求項１は、経年変化により、ブロックと舗装材との境目に垂直方向の隙間が発生し、この隙間に飛来した雑草の種子が雨水を糧として発芽しても、光合成により成長する性質、即ち、芽が屈光性により隙間を通じて上方へ延び（背地性）、根が屈地性により逆に下方へ伸びる（向地性）成長（繁殖）を阻害でき、防草効果を達成できる特徴がある。
【００２１】
請求項２の発明は、ブロックの長手方向に沿って形成される少なくとも一方端面に設けた凹部は、開放部が、ブロックの上面に達する構成とするとともに、凹部は、底部に向かって、下向き角度が７０°となる傾斜接合面と成り得る傾斜辺を備えた構成とし、また、凹部は、ブロックの短手方向において、複数個設ける構成とし、さらに、凹部の先端部、及び／又は、底部を面取り加工したことを特徴とする防草を意図したブロックである。
【００２２】
従って、請求項２は、経年変化により、ブロックと舗装材との境目に垂直方向の隙間が発生し、この隙間に飛来した雑草の種子が雨水を糧として発芽しても、光合成により成長する性質、即ち、芽が屈光性により隙間を通じて上方へ延び（背地性）、根が屈地性により逆に下方へ伸びる（向地性）成長（繁殖）を略１００％阻害でき、防草効果を達成できる特徴がある。
【００２３】
請求項３の発明は、請求項２に記載の防草を意図したブロックであって、
複数個の凹部を、ブロック外周端面に繞設するとともに、ブロックの上面に達するよう構成したことを特徴とする防草を意図したブロックである。
【００２４】
従って、請求項３は、請求項２の目的を達成できること、またこの目的を達成するのに最適な上面構造のブロックを提供できること等の特徴がある。
【００２５】
請求項４の発明は、請求項２に記載の防草を意図したブロックであって、
複数個の凹部の先端部に、防草用の突条を設けることを特徴とする防草を意図したブロックである。
【００２６】
従って、請求項４は、請求項２の目的を達成できること、またこの目的を達成するのに最適な先端部を有するブロックを提供できること等の特徴がある。
【図面の簡単な説明】
【００２７】
【図１−１】図１−１は第一のブロックの側面図
【図１−２】図１−２は第一のブロックの施工状態を示した断面図
【図２−１】図２−１は第二のブロックの側面図
【図２−２】図２−２は第二のブロックの施工状態を示した断面図
【図３−１】図３−１は第三のブロックの側面図
【図３−２】図３−２は第三のブロックの施工状態を示した断面図
【図４】図４は第四のブロックの側面図
【図５】図５は第五のブロックの側面図
【図６−１】図６−１は第六のブロックの斜視図
【図６−２】図６−２は第七のブロックの斜視図
【図７−１】図７−１は第八のブロックの側面図
【図７−２】図７−２は第九のブロックの側面図
【図７−３】図７−３は第十のブロックの側面図
【図７−４】図７−４は第十一のブロックの側面図
【図７−５】図７−５は第十二のブロックの側面図
【図７−６】図７−６は第十三のブロックの側面図
【図８−１】図８−１は第十四のブロックの側面図
【図８−２】図８−２は第十四のブロックを切り欠いた第十五のブロックの側面図
【図９】図９はブロックの外周端面に凹部を繞設した第十六のブロックを示した斜視図
【発明を実施するための形態】
【００２８】
図１−１は第一のブロックの側面図、図１−２は第一のブロックの施工状態を示した断面図、図２−１は第二のブロックの側面図、図２−２は第二のブロックの施工状態を示した断面図、図３−１は第三のブロックの側面図、図３−２は第三のブロックの施工状態を示した断面図、図４は第四のブロックの側面図、図５は第五のブロックの側面図、図６−１は第六のブロックの斜視図、図６−２は第七のブロックの斜視図を示す。
【００２９】
図７−１〜図７−６は第八〜第十三のブロックの側面図をそれぞれ示したものであり、複数個の凹部を形成する際の好ましい各一例を示す。
【００３０】
図８−１と図８−２はブロックと防草シールとの組合せ構造の好ましい一例であり、図８−１は第十四のブロックの側面図を示し、図８−２は第十四のブロックを切り欠いた第十五のブロックの側面図を示す。
【００３１】
尚、図９はブロックの外周端面に凹部を繞設した第十六のブロックを示した斜視図である。
【００３２】
図１−１〜図６−２に示した第一のブロックＥ〜第七のブロックＥについて説明する。：  図１−１は第一のブロックＥの側面図であり、この第一のブロックＥの長手方向Ｘ’−１（図１−２参照）の一方の端面Ｅ−１・他方の端面Ｅ−１に下向き角度が略７０°範囲となる傾斜辺（傾斜接合面）３・傾斜辺（傾斜接合面）３を備えたブロックＥの上面Ｅ−２・下面Ｅ−３に達する凹部６・凹部６を対峙関係に設け、この凹部６・凹部６は金型（図示せず）の抜き勾配Ｆ・抜き勾配Ｆを備えてなり、また凹部６・凹部６の先端部６−１・先端部６−１及び／又は底部６−２・底部６−２に面取り加工７・面取り加工７を形成する。そして、図１−２は第一のブロックＥの施工状態を示しており、凹部６・凹部６の先端部６−１・先端部６−１の位置までぐり石Ｃ−１・ぐり石Ｃ−１を埋設し、その上に一方側のコンクリート構造物Ａ−１及び／又は他方側のコンクリート構造物Ｂ−１を敷設する。：  図２−１は第二のブロックＥの側面図であり、この第二のブロックＥの長手方向Ｘ’−１（図２−２参照）の少なくとも一方の端面Ｅ−１に下向き角度が略７０°範囲となる傾斜辺（傾斜接合面）３を備えたブロックＥの上面Ｅ−２に達する凹部６を設け、この凹部６は金型（図示せず）の抜き勾配Ｆを備えてなり、また凹部６の先端部６−１及び／又は底部６−２に面取り加工７を形成する。そして、図５は第二のブロックＥの施工状態を示しており、凹部６の先端部６−１の位置までぐり石Ｃ−１を埋設し、その上に一方側のコンクリート構造物Ａ−１及び／又は他方側のコンクリート構造物Ｂ−１を敷設する。その他の構造は、前述の各例に準ずる。：  図３−１、図３−２に示した第三のブロックＥと、図２−１に示した第四のブロックＥ、図２−２に示した第五のブロックＥ、並びに図６−１に示した第六のブロックＥ、図６−２に示した第七のブロックＥは、前述の図２−１、図２−２に示した第二のブロックＥに準ずる。但し、下記の点で相違するので説明する。：  図２−２では下向き角度が略７０°範囲となる傾斜辺（傾斜接合面）３を備えたブロックＥの上面Ｅ−２に達する凹部６が略楕円形を呈する。この略楕円形の凹部６であっても、下向き角度が略７０°を備えておれば、防草効果は期待できる。また図６−１、図６−２は第六のブロックＥ、第七のブロックＥの長手方向Ｘ’−１に一個又は数個の突条８を設け、この下向き角度が略７０°範囲となる突条傾斜辺（凹条傾斜辺）８−１を利用し、この長手方向Ｘ’−１における防草を図る。そして、図６−１の第六のブロックＥの如く、長手方向Ｘ’−１の端部では、この第六のブロックＥの繋目での防草に役立つ特徴がある。
【００３３】
図７−１〜図７−６に示した第八のブロックＥ〜第十三のブロックＥは前述の図２−１、図２−２に示した第二のブロックＥに準ずる。但し、下記の点で相違するので説明する。：  図７−１はブロックＥの上面Ｅ−２に達する凹部６を複数個（二山）設ける構成である。図７−２はブロックＥの上面Ｅ−２に達する凹部６を複数個（一山）設ける構成である。図７−３は図２−１、図２−２に示した第二のブロックＥを採用し、更にブロックＥの上面Ｅ−２に達する凹部６を複数個（一山）設ける構成である。図７−４はブロックＥの上面Ｅ−２に達する凹部６を複数個（一山）上面Ｅ−２へと上昇するよう設ける構成である。図７−５はブロックＥの上面Ｅ−２に達する凹部６をブロック上面Ｅ−２の一方側及び他方側にそれぞれ設ける構成である。図７−６はブロックＥの上面Ｅ−２に達する凹部６をブロック上面Ｅ−２の一方側及び他方側に複数個（一山）設ける構成である。
【００３４】
図８−１〜図９に示した第十四のブロックＥ〜第十六のブロックＥについて説明する。：  図８−１と図８−２はブロックＥと防草シール９との組合せ構造の好ましい一例であり、ブロックＥの特徴については、図７−１〜図７−６に示した第八のブロックＥ〜第十三のブロックＥに準ずる。図８−１は第十四のブロックＥの側面図であり、ブロックＥの上面Ｅ−２に達する凹部６の先端部６−１に、防草シール９を貼り付ける構成である。図８−２は第十四のブロックを切り欠いた第十五のブロックＥの側面図であり、ブロックＥの上面Ｅ−２に達する凹部６の先端部６−１に窪み１０を設け、この窪み１０に防草シール９を嵌め込む構成である。この第十四のブロックＥ及び第十五のブロックＥでは、経年変化によりブロックＥに生じた隙間５を防草シール９によって塞ぐことができ、防草シール９と下向き角度略７０°範囲との相乗効果で確実な防草が図れる。尚、この防草シール９の幅、長さ等は適宜変更可能である。：  図９はブロックＥの外周端面に凹部６を繞設した第十六のブロックＥの斜視図であり、ブロックＥの上面Ｅ−２に達する凹部６を、ブロック外周端面に繞設する構成である。
【符号の説明】
【００３５】
３  傾斜辺（傾斜接合面）
６  凹部
６−１  先端部
６−２  底部
７  面取り加工
８  突条
８−１  突条傾斜辺（凹条傾斜辺）
９  防草シール
１０  窪み
Ａ−１  一方側のコンクリート構造物
Ｂ−１  他方側のコンクリート構造物
Ｃ−１  ぐり石
Ｅ  ブロック
Ｅ−１  端面
Ｅ−２  上面
Ｅ−３  下面
Ｆ  抜き勾配
Ｘ’−１  長手方向
【図１−１】
2010163863.tif 000003
【図１−２】
2010163863.tif 000004
【図２−１】
2010163863.tif 000005
【図２−２】
2010163863.tif 000006
【図３−１】
2010163863.tif 000007
【図３−２】
2010163863.tif 000008
【図４】
2010163863.tif 000009
【図５】
2010163863.tif 000010
【図６−１】
2010163863.tif 000011
【図６−２】
2010163863.tif 000012
【図７−１】
2010163863.tif 000013
【図７−２】
2010163863.tif 000014
【図７−３】
2010163863.tif 000015
【図７−４】
2010163863.tif 000016
【図７−５】
2010163863.tif 000017
【図７−６】
2010163863.tif 000018
【図８−１】
2010163863.tif 000019
【図８−２】
2010163863.tif 000020
【図９】
2010163863.tif 000021